(57)【要約】【課題】着信時に再生するコンテンツの再生権限のライセンス有無に応じて、ユーザに着信を通知することが可能な通信端末及び着信処理方法を提供することを目的とする。【解決手段】  本発明の接続処理方法を提供する移動機３０は、通信制御部３０１と再生部３０２、著作権情報判断部３０３、情報格納部３０４を備える。情報格納部３０４には、再生コンテンツ３０５、再生権限情報３０６が格納されている。再生部３０２は、移動機３０におけるコンテンツ再生の機能を担い、著作権情報判断部３０３によって再生権限が有りと判断された場合、特定のコンテンツを再生し、無しと判断された場合、移動機３０に初期設定されている固定コンテンツを再生する。本発明の着信処理方法により、再生権限情報３０６に応じたコンテンツの再生を行うことが可能となり、ユーザへ接続要求を正確に伝えることができることになる。【選択図】図１
2008092461.tif 000002
【特許請求の範囲】
【請求項１】
通信相手先からの通信要求に応じて応答するための通信手段と、
前記通信要求の受信時に再生するためのコンテンツを格納する第１の格納手段と、
前記第１の格納手段に格納された各々のコンテンツの再生権限の有無を示す再生権限情報を、前記各々のコンテンツを識別するコンテンツ識別情報に対応付けて格納する第２の格納手段と、
前記通信手段によって受信された通信要求に応じて、特定のコンテンツを再生する再生手段と、
前記再生手段による前記特定のコンテンツの再生の際に、前記特定のコンテンツを識別する特定コンテンツ識別情報に基づいて前記第２の格納手段を参照し、前記特定コンテンツ識別情報に対応する再生権限情報に基づいて、前記特定のコンテンツの再生権限の有無を判断する決定手段とを備え、
前記再生手段は、前記決定手段によって前記再生権限が有りと判断された場合には前記特定のコンテンツを再生し、前記再生権限が無しと判断された場合には予め設定されている固定コンテンツを再生する、
ことを特徴とする通信端末。
【請求項２】
前記再生権限情報は、再生可能期間に関する期間情報を含み、
前記決定手段は、前記特定コンテンツ識別情報に対応する期間情報に基づいて、前記特定のコンテンツの再生時間が該期間情報の示す再生可能期間にあるか否かに応じて、前記特定コンテンツの再生権限の有無を判断する、
ことを特徴とする請求項１記載の通信端末。
【請求項３】
通信手段が、通信相手先からの通信要求に応じて応答する通信ステップと、
第１の格納手段が、前記通信要求の受信時に再生するためのコンテンツを格納する第１の格納ステップと、
第２の格納手段が、前記第１の格納手段に格納された各々のコンテンツの再生権限の有無を示す再生権限情報を、前記各々のコンテンツを識別するコンテンツ識別情報に対応付けて格納する第２の格納ステップと、
再生手段が、前記通信手段によって受信された通信要求に応じて、特定のコンテンツを再生する再生ステップと、
決定手段が、前記再生手段による前記特定のコンテンツの再生の際に、前記特定のコンテンツを識別する特定コンテンツ識別情報に基づいて前記第２の格納手段を参照し、前記特定コンテンツ識別情報に対応する再生権限情報に基づいて、前記特定のコンテンツの再生権限の有無を判断する決定ステップとを備え、
前記再生ステップでは、前記決定手段によって前記再生権限が有りと判断された場合には前記特定のコンテンツを再生し、前記再生権限が無しと判断された場合には予め設定されている固定コンテンツを再生する、
ことを特徴とする着信処理方法。
【発明の詳細な説明】
【技術分野】
【０００１】
通信端末及び着信処理方法に関する。
【背景技術】
【０００２】
従来、携帯電話などの通信端末では、端末購入時等の初期状態においては、通信相手先からの着信時に再生される着信音として固定の着信音が設定されているのが一般的である。また、このような通信端末においては、固定の着信音の他にユーザの嗜好でコンテンツプロバイダ等の端末外部からダウンロードした楽曲データや画像等のコンテンツを着信時に再生することが行われている。このように着信時に使用されるコンテンツを配信する技術として、特許文献１に記載されたようなコンテンツ配信方法がある。なお、通信端末に配信されるコンテンツには一般的にはデジタル著作権情報を含むものがあり、このデジタル著作権情報には、暗号化により他の端末へのコンテンツの不正な移動やコピーを防ぐためのものから、再生期限や再生回数制限を付すためのものがある。当該文献には、特に、コンテンツ配信の手法や暗号化によるコピー防止の手法が開示されている。
【特許文献１】特開２００５−４９６９２号公報
【発明の開示】
【発明が解決しようとする課題】
【０００３】
上述したような通信端末で着信時に利用するコンテンツに関しては、これまで、そのコンテンツに対する著作権情報に対応して再生コンテンツの選択は行われていない。そのため、着信をユーザに通知することに支障を来たす場合があった。具体的には、特定のコンテンツが事前に着信音として設定されていたとしても、コンテンツの利用権限を有していない場合には、そのコンテンツが再生されず、ユーザ側で着信に気づかないことが考えられる。そこで、本発明は、かかる課題に鑑みて為されたものであり、着信時に再生するコンテンツの再生権限に応じて、ユーザに着信を通知することが可能な通信端末及び着信処理方法を提供することを目的とする。
【課題を解決するための手段】
【０００４】
上記課題を解決するため、本発明の通信端末は、通信相手先からの通信要求に応じて応答するための通信手段と、通信要求の受信時に再生するためのコンテンツを格納する第１の格納手段と、第１の格納手段に格納された各々のコンテンツの再生権限の有無を示す再生権限情報を、各々のコンテンツを識別するコンテンツ識別情報に対応付けて格納する第２の格納手段と、通信手段によって受信された通信要求に応じて、特定のコンテンツを再生する再生手段と、再生手段による特定のコンテンツの再生の際に、特定のコンテンツを識別する特定コンテンツ識別情報に基づいて第２の格納手段を参照し、特定コンテンツ識別情報に対応する再生権限情報に基づいて、特定のコンテンツの再生権限の有無を判断する決定手段とを備え、再生手段は、決定手段によって再生権限が有りと判断された場合には特定のコンテンツを再生し、再生権限が無し、と判断された場合には通信端末提供時に初期設定されている固定のコンテンツを再生することを特徴とする。
【０００５】
本発明の着信処理方法は、通信手段が、通信相手先からの通信要求に応じて応答する通信ステップと、第１の格納手段が、通信要求の受信時に再生するためのコンテンツを格納する第１の格納ステップと、第２の格納手段が、第１の格納手段に格納された各々のコンテンツの再生権限の有無を示す再生権限情報を、各々のコンテンツを識別するコンテンツ識別情報に対応付けて格納する第２の格納ステップと、再生手段が、通信手段によって受信された通信要求に応じて、特定のコンテンツを再生する再生ステップと、決定手段が、再生手段による特定のコンテンツの再生の際に、特定のコンテンツを識別する特定コンテンツ識別情報に基づいて第２の格納手段を参照し、特定コンテンツ識別情報に対応する再生権限情報に基づいて、特定のコンテンツの再生権限の有無を判断する決定ステップとを備え、再生ステップでは、決定手段によって再生権限が有りと判断された場合には特定のコンテンツを再生し、再生権限が無しと判断された場合には予め設定されている固定コンテンツを再生することを特徴とする。
【０００６】
このような通信端末及び着信処理方法によれば、通信要求の受信時に再生するための各々のコンテンツが第１の格納手段に格納され、そのコンテンツを識別するコンテンツ識別情報に対応付けられて、再生権限情報が、第２の格納手段に格納されている。そして、通信相手先からの通信要求の受信時において特定のコンテンツの再生の際には、決定手段により特定のコンテンツを識別する特定コンテンツ識別情報に基づいて、第２の格納手段が参照され、特定コンテンツ識別情報に対応する再生権限情報が読み出された後、その再生権限情報により再生権限の有無が判断される。その後、再生手段により、再生権限が有りと判断された場合には特定のコンテンツが再生され、再生権限が無しと判断された場合には予め設定されている固定のコンテンツが再生される。従って、通信端末での着信時におけるコンテンツ再生において再生権限の有無に応じて確実に再生コンテンツを選択することができる。例えば、着信音に設定したコンテンツの著作権が切れていたような場合等、コンテンツが再生できずに着信音として鳴動しないことも考えられるが、本発明においては予め設定された固定のコンテンツを再生することで、ユーザが着信に気づかないという事態を防止することができる。その結果、コンテンツの再生権限の設定状態に応じて、ユーザに着信を通知することができる。
【０００７】
ここで、再生権限情報は、再生可能期間に関する期間情報を含み、決定手段は、特定コンテンツ識別情報に対応する期間情報に基づいて、特定のコンテンツの再生時間が該期間情報の示す再生可能期間にあるか否かに応じて、特定コンテンツの再生権限の有無を判断することが好ましい。
【０００８】
この場合、例えば、着信音に設定したコンテンツの著作権の再生可能期限が終了していた場合等、予め設定された固定のコンテンツを再生することで、ユーザが着信に気づかないという事態を防止し、再生権限の設定状態に応じて、ユーザに着信を通知することができる。
【発明の効果】
【０００９】
本発明の通信端末及び着信処理方法によれば、着信時に再生するコンテンツの再生権限に応じて、ユーザに着信を通知することが可能な通信端末及び着信処理方法を提供することができる。
【発明を実施するための最良の形態】
【００１０】
以下、本発明による通信端末及び着信処理方法の好適な実施形態について、図面を参照して詳細に説明する。なお、図面の説明においては同一要素には同一符号を付し、重複する説明を省略する。
【００１１】
図１は、本発明の好適な一実施形態である通信システム１の概略構成を示す図である。同図に示す通信システム１は、携帯電話機、ＰＤＡ(Personal Digital Assistants)、ＰＨＳ（Personal Handyphone System）等の通信端末である移動機３０と、移動機３０の通信相手先の通信端末である移動機１０とが、移動通信網２０を介して接続可能な通信システムである。なお、通信システム１においては、移動機１０，３０は、１台ずつ図示されているが、それぞれ複数台含まれていても良いことは言うまでもない。これらの移動機１０，３０は、互いに移動通信網２０を介して接続されることによって、音声通信やリアルタイムの双方向テレビ通話等のデータ通信が可能とされる。また、移動機３０は、移動通信網２０を介してコンテンツプロバイダのＷＷＷサーバ等との間で文書データ、音楽データ、動画像データ等の送受信、インターネット上におけるホームページの閲覧、及び電子メールの送受信が可能とされている。
【００１２】
まず、本実施形態に係る移動機３０の構成について説明する。図１に示すように、移動機３０は、機能的には、通信制御部（通信手段）３０１、再生部（再生手段）３０２、著作権情報判断部（決定手段）３０３、情報格納部（第１及び第２の格納手段）３０４を含んで構成されている。
【００１３】
また、図２は、移動機３０のハードウェア構成図である。移動機３０は、物理的には、ＣＰＵ３５０、主記憶装置であるＲＡＭ３５１及びＲＯＭ３５２、ハードディスク等の補助記憶装置である情報格納部３０４、入力デバイスであるボタン、カメラ、マイク等の入力装置３５３、ディスプレイ、スピーカ等の出力装置３５４、移動通信網２０と移動体通信によって通信するための通信制御部３０１などを含む通信端末として構成されている。
【００１４】
図１において説明した移動機３０の各機能は、図２に示すＣＰＵ３５０、ＲＡＭ３５１等のハードウェア上に所定のコンピュータソフトウェアを読み込ませることにより、ＣＰＵ３５０の制御のもとで通信制御部３０１、入力装置３５３、出力装置３５４を動作させるとともに、ＲＡＭ３５１、ＲＯＭ３５２、及び情報格納部３０４におけるデータの読み出し及び書き込みを行うことで実現される。
【００１５】
以下、移動機３０の構成について、より詳細に説明する。
【００１６】
通信制御部３０１は、通信相手先である移動機１０から音声通信やテレビ通話等の接続要求（通信要求）を受信する。このとき、通信制御部３０１は、この接続要求を再生部３０２に通知することにより、再生部３０２を通じて移動機３０のユーザに接続要求、すなわち、着信があったことを知らせる。あわせて、通信制御部３０１は、この接続要求の通知後に、その通知に対してボタン等の入力装置３５３（図２参照）を通じてユーザから通信開始の指示を受け取った場合に、移動機１０との間で通信を確立する。通信制御部３０１は、接続要求を受信した場合、その接続要求を再生部３０２に出力する。
【００１７】
再生部３０２は、コンテンツの再生機能を担う部分であり、通信制御部３０１からの接続要求の通知を契機として、音声コンテンツの再生や画像コンテンツの表示をすることによってユーザに接続要求を知らせる。このコンテンツの再生は、予め移動機３０内のメモリ等に設定された、特定のコンテンツを識別する特定コンテンツＩＤ（特定コンテンツ識別情報）を元にした著作権情報判断部３０３の判断に応じて行われるが、この判断の詳細については後述する。このとき、接続要求時にユーザへ着信を知らせるために利用される複数のコンテンツは、予め移動機３０の情報格納部３０４へ格納されている。上記のように、ユーザによって情報格納部３０４には、複数のコンテンツの中から接続要求時に利用するコンテンツを識別する特定コンテンツＩＤが設定されている。なお、ここで述べている接続要求時に利用するコンテンツは、音楽データ等の音声データ、音声データが重畳された画像データや音声データが重畳された文字データ等であっても良い。これらのコンテンツには、端末の初期設定時に既に格納されたもの以外に、ユーザの嗜好に応じてコンテンツプロバイダからダウンロード等により格納されたものも含まれる。
【００１８】
より詳細には、再生部３０２は、接続要求の受信時に、著作権情報判断部３０３に特定コンテンツIDを含む再生要求を通知する。これに対して、著作権情報判断部３０３から再生対象コンテンツを含む再生対象コンテンツ及び再生許可信号が返された場合は、再生部３０２は、その特定コンテンツIDに対応するコンテンツを再生する。一方、著作権情報判断部３０３から固定コンテンツが返された場合は、その固定コンテンツIDに対応する固定コンテンツを再生する。この固定コンテンツは、再生しようとするコンテンツのライセンスが切れている際に再生部３０２に固定的に再生させるために、初期設定時等に情報格納部３０４内に予め格納されたコンテンツである。
【００１９】
著作権情報判断部３０３は、再生部３０２からの再生対象コンテンツに関する再生要求を契機として、再生対象のコンテンツに関してライセンス（再生権限）の有無を判断する。より詳細には、著作権情報判断部３０３は、再生要求に含まれる特定コンテンツＩＤに基づいて、情報格納部３０４を参照し、特定コンテンツＩＤに対応する再生権限情報３０６を読み出す。
【００２０】
以下、情報格納部３０４に格納され、着信時に利用するコンテンツのライセンス情報（再生権限情報）について説明する。
【００２１】
図３に示すように、ライセンス情報として、「コンテンツプロバイダＩＤ」、「リクエストＣＰＩＤ」、「再契約ＣＰＩＤ」、「再生期限」、「ダウンロード日時」、「再生期間」及び「グレースピリオド日数」が、「楽曲ＩＤ」に関連づけて格納されている。また、その他の情報として「再生済回数」がライセンス管理下にあるコンテンツが再生された回数を表す情報として、「楽曲ＩＤ」に関連づけて格納されている。
【００２２】
「楽曲ＩＤ」は、そのライセンス情報に対応するコンテンツを一意に識別するＩＤ（コンテンツ識別情報）である。例えば「ID012」のようなデータ形式で、コンテンツを一意に識別するＩＤである。「再生期限」はコンテンツを再生することが許可される期限の情報、「ダウンロード日時」はコンテンツをダウンロードで取得した日時を示す情報、「再生期間」は、ダウンロードした日からコンテンツを再生することが許可される期間の情報、「再生済回数」は再生権限を持つコンテンツの再生が一定時間行われたか、あるいは完了した場合の回数を記録した情報である。なお、「再生期限」、「再生期間」及び「グレースピリオド日数」は、当該コンテンツを再生することが可能な期間を特定するために必要な情報（期間情報）であり、これらの情報はコンテンツプロバイダＩＤ毎に管理され、コンテンツプロバイダＩＤによって間接的に楽曲ＩＤに関連づけられている。
【００２３】
ここで、「再生期限」及び「再生期間」は「グレースピリオド日数」によって再生可否の条件が変化する。具体的には、「グレースピリオド日数」は、「再生期限」及び「再生期間」によって特定される期間に「グレースピリオド日数」によって確定される日数を猶予期間として付与するためのものである。この情報は、移動機３０の通信環境が悪化した場合等において、コンテンツプロバイダとの通信によってコンテンツの契約延長の処理が実施できない場合等に、再生を猶予するために設定される。例えば、「再生期限」が「20060101」、「再生期間」が「20（日）」、「ダウンロード日時」が「2005/12/1」、「グレースピリオド日数」が「10（日）」の場合を考える。このとき、「再生期限」に対応する再生可能期間は、「2006/1/11」までであり、「再生期間」に対応する再生可能期間は、「2005/12/31」までであり、「グレースピリオド」の日数分だけ再生可能期間が延長される。
【００２４】
また、「コンテンツプロバイダＩＤ」、「リクエストＣＰＩＤ」及び「再契約ＣＰＩＤ」は、該当コンテンツのライセンスの再契約時に参照される情報である。コンテンツの再契約時には再度、提供元のコンテンツプロバイダに接続する必要があるため、このような情報が保存されている。「コンテンツプロバイダＩＤ」は該当コンテンツを提供したプロバイダを特定する情報、「リクエストＣＰＩＤ」はライセンスチェック及び再生済み回数を送信する接続先（URL：Uniform Resource Locator）、「再契約ＣＰＩＤ」は、ライセンス期間の満了が発生している時などに、該当ライセンスを再取得する際の接続先（ＵＲＬ）を示す情報である。
【００２５】
次に、上述した再生権限情報３０４を利用した著作権情報判断部３０３のライセンスの判断機能について説明する。
【００２６】
再生権限情報３０６は、再生部３０２から引き渡された特定コンテンツＩＤに基づいて情報格納部３０４を参照し、その特定コンテンツＩＤに一致する「楽曲ＩＤ」に対応するライセンス情報を読み出す。また、再生権限情報３０６は、読み出したライセンス情報に基づいて、次の２種類のライセンス判断処理を実行する。
【００２７】
すなわち、著作権情報判断部３０３は、対象となるコンテンツについてダウンロードされた日時を基準として、「再生期間」だけ経過した時点と、コンテンツ再生日時である現在の日時とを比較することで再生の可否を決定している。詳細には、著作権情報判断部３０３は、現在日時が、再生対象のコンテンツの再生可能期間（例えばダウンロード日から20日など）内にない場合は、該当コンテンツの再生権限を有さないと判断する。これに対して、著作権情報判断部３０３は、現在日時が再生対象コンテンツの再生可能期間内にある場合は、該当コンテンツの再生権限を有すると判断する。
【００２８】
また、著作権情報判断部３０３は、「再生期限」についても同様に、現在の日時と「再生期限」とを比較することで再生の可否を決定している。詳細には、著作権情報判断部３０３は、現在の日時が再生対象のコンテンツの再生期限を過ぎてしまっている場合は、該当コンテンツの再生権限を有さないと判断する。これに対して、著作権情報判断部３０３は、現在日時が再生期限を過ぎていない（再生可能期間内である）場合は、該当コンテンツの再生権限を有すると判断する。
【００２９】
さらに、著作権情報判断部３０３は、該当コンテンツのライセンス判断に応じて再生部３０２に対して、再生対象コンテンツ及び再生許可信号を返す。すなわち、著作権情報判断部３０３は、該当コンテンツの再生期限が有りと判断した場合は、特定コンテンツIDをキーにして、情報格納部３０４から再生対象のコンテンツを読み出した後、そのコンテンツを含む再生許可信号を返し、再生権限がなしと判断した場合は、該当コンテンツ以外の固定コンテンツを返す。
【００３０】
また、著作権情報判断部３０３は、再生部３０２により該当のコンテンツについて一定時間再生が行われたか、あるいは再生が完了されたかをモニタする。そして、一定時間の再生、又は再生完了を検出した場合に、再生権限情報３０６の該当の「楽曲ID」に対応する「再生済回数」の値に１を加算する。
【００３１】
さらに以下、図４を参照しつつ、移動機３０の動作について説明すると共に、本発明の実施形態にかかる着信処理方法について説明する。
【００３２】
図４は、移動機３０のコンテンツ再生の手順を示すシーケンス図である。まず、移動機３０により移動機１０からの接続要求が受信される（ステップＳ００１）。そうすると、再生部３０２から著作権情報判断部３０３に特定コンテンツIDを含む再生要求が通知される（ステップＳ００２）。
【００３３】
これに対して、移動機３０の著作権情報判断部３０３により、情報格納部３０４のライセンス情報が参照されて、再生対象のコンテンツの再生権限が確認される（ステップＳ００３）。そして、情報格納部３０４により、読み出したライセンス情報に基づいて特定コンテンツの再生可否が判断される（ステップＳ００４）。
【００３４】
上記判断の結果、再生権限を有する場合（ステップS００４；YES）、情報格納部３０４から取得された再生対象コンテンツが、再生許可信号と共に著作権情報判断部３０３から再生部３０２へ引き渡される（ステップＳ００５）。一方、再生権限を有さない場合（ステップS００４；NO）、著作権情報判断部３０３は再度情報格納部３０４に対して、予め端末内に設定された固定のコンテンツを要求する（ステップＳ００６）。そして、著作権情報判断部３０３によって固定コンテンツが取得され、再生部３０２へ送られる（ステップＳ００７）。その後、著作権情報判断部３０３から引き渡された再生対象コンテンツ又は固定コンテンツが再生部３０２によって再生される（ステップＳ００８）。
【００３５】
次に、再生部３０２でコンテンツの再生が完了すると、再生部３０２より著作権情報判断部３０３へ再生が完了したことが通知される（ステップＳ００９）。再生を完了したコンテンツが情報格納部３０４にライセンス情報を所持するコンテンツであった場合、著作権情報判断部３０３によって、情報格納部３０４に格納された当該コンテンツに対応する「再生済回数」がカウントアップされる（ステップＳ０１０）。
【００３６】
続いて、本実施形態にかかる通信端末及び着信処理方法の作用及び効果について説明する。
【００３７】
このような移動機３０によれば、通信相手先からの通信要求の受信時において特定のコンテンツの再生の際には、著作権情報判断部３０３によって再生対象コンテンツを特定する特定コンテンツIDライセンスに基づいて、情報格納部３０４が参照され、特定コンテンツIDに対応するライセンス情報が読み出され、その再生権限により、再生権限の有無が判断される。なお、この際に再生される再生対象コンテンツやコンテンツのライセンス情報等については、情報格納部３０４に格納されている。その後、再生部３０２により、再生権限が有りと判断された場合には特定のコンテンツが再生され、再生権限が無しと判断された場合には移動機３０に予め設定された固定のコンテンツが再生される。
【００３８】
これにより、例えば、ユーザに着信を知らせるために設定した特定のコンテンツのライセンスが切れていた場合等、コンテンツが再生できずに、着信音として鳴動しないことも考えられるが、本発明においては予め設定された固定のコンテンツを再生することで、ユーザが着信に気づかないという事態を防止することができる。その結果、コンテンツの再生権限の設定状態に応じて、ユーザに着信を通知することができる。
【００３９】
具体的に言えば、着信音に設定したコンテンツの著作権の再生可能期限が切れていたような場合等、予め設定された固定のコンテンツを再生することで、ユーザが着信に気づかないという事態を防止し、再生権限の設定状態に応じて、ユーザに着信を通知することができる。
【００４０】
なお、本発明は、前述した実施形態に限定されるものではない。例えば、再生部３０２で再生するコンテンツについては、情報格納部３０４の一部としての補助記憶装置（ハードディスク、外付けのメモリカード等）及びＲＯＭ３５２に格納されていても良い。
【００４１】
移動機３０は、有線通信用の固定電話端末、ＩＰ電話端末、パーソナルコンピュータ等の通信端末に置換可能である。
【００４２】
さらに、端末への通信着信時に本発明を用いる場合、対象となるコンテンツは楽曲に限らない。例えば、再生権限情報３０６を持ち、着信時に使用できるコンテンツであれば利用が可能であり、動画や、音声の入っている動画についても本発明への適用が考えられる。また、静止画像については、着信時に表示される画像として利用することも想定できるし、静止画像の表示と連動して音声を鳴らすという複合的なコンテンツとしての利用も想定できる。この場合のコンテンツは、端末の情報格納部３０４に格納されているが、同様にメモリカード等の取り外し可能な媒体に格納されても良い。
【００４３】
また、移動機３０には楽曲の再生可否を判断するためのデータとして、再生不許可リストを格納していても良い。例えば、再生不許可リストには、「再生期限」「再生期間」の情報とは無関係に、無条件で再生を不許可としたいコンテンツの「楽曲ＩＤ」又はそのコンテンツに対応する「コンテンツプロバイダＩＤ」を登録する。これにより、何らかの理由で利用者の当該コンテンツ利用を停止したい場合などに、コンテンツプロバイダから端末へ再生不許可リストの配信を行って予め格納させることで、当該コンテンツ利用を停止することができる。
【図面の簡単な説明】
【００４４】
【図１】本発明の好適な一実施形態にかかる機能ブロック図である。
【図２】図１の移動機のハードブロック図である。
【図３】図１の再生権限情報のデータ構成図である。
【図４】図１の移動機のコンテンツ再生の手順を示すシーケンス図である。
【符号の説明】
【００４５】
１…通信システム、１０…移動機（呼び出し側）、３０…移動機（受信側）、
２０…移動通信網、３０１…通信制御部、３０２…再生部、３０３…著作権情報判断部、３０４…情報格納部、３０５…再生コンテンツ、３０６…再生権限情報
、３５０…ＣＰＵ、３５１…ＲＡＭ、３５２…ＲＯＭ、３５３…入力装置、３５４…出力装置。
【図１】
2008092461.tif 000003
【図２】
2008092461.tif 000004
【図３】
2008092461.tif 000005
【図４】
2008092461.tif 000006